(57)【要約】【課題】  ビルド・イン・タイプのキーボード装置を不使用時に全然携帯式電子装置の外見とそのサイズに影響せず、且つ使用する必要がある場合に、操作しやすい、ボタンが大きいキーボード装置を構成でき、且つ携帯式電子装置の全体の仕様に影響を与えないほかに、その作製コストを安くできる隠し式キーボードを有する携帯式電子装置を提供する。【解決手段】  携帯式電子装置５の背面部には、凹み部５１が形成され、その凹み部５１の下縁部近傍には二つの枢着孔同士５２，５２が形成され、且つキーボード装置６が二つの半分体６１，６２に区分され、且つ枢軸７の一端が二つの半分体６１，６２の対応しあう内方上方角部に設けられると共に、他端がそれぞれ携帯式電子装置５の二つの枢着孔同士５２内に枢着される。【選択図】      図４
0003102768.tif 000002
【実用新案登録請求の範囲】
【請求項１】
背面部に凹み部が形成されると共に、その凹み部の下縁部近傍に一対の枢着孔同士が形成される、携帯式電子装置と、
二つの半分部分に区分されるキーボード装置と、
前記二つの半分部分からなるキーボード装置のそれぞれの半分体の対応しあう内方上方角部と前記二つの枢着孔同士に枢着される枢軸とからなることを特徴とする隠し式キーボードを有する携帯式電子装置。
【請求項２】
前記枢軸同士の一端が前記二つの半分体の対応しあう内方上方角部に固着されると共に、それらの枢軸同士の他端がそれぞれ前記携帯式電子装置の二つの枢着孔同士内に枢着されることを特徴とする請求項１に記載の隠し式キーボードを有する携帯式電子装置。
【請求項３】
前記携帯式電子装置における凹み部には、前記二つの枢着孔同士が形成されている壁面部を有することを特徴とする請求項２に記載の隠し式キーボードを有する携帯式電子装置。
【請求項４】
さらに位置決め機構が設けられ、その位置決め機構には、前記枢着孔の周りに形成される二つの凹点と、前記枢軸に囲んで形成される後盤体と、前記後盤体に形成される凸点とを有し、前記後盤体が前記壁面部に重ね接合され、前記二つの半分体が収納される際に、前記凸点が前記凹点の一つに係入されて位置決められ、前記半分体が展開される際に、前記凸点が他の凹点に係入されて位置決められることを特徴とする請求項３に記載の隠し式キーボードを有する携帯式電子装置。
【請求項５】
さらに位置決め機構が設けられ、その位置決め機構には、前記壁面部に固着されると共に、前記枢着孔に連通される前盤体と、前記前盤体に形成される二つの凹点と、前記枢軸に囲んで形成される後盤体と、前記後盤体に形成される凸点とを有し、前記後盤体が前記前盤体に重ね接合され、前記二つの半分体が収納される際に、前記凸点が前記凹点の一つに係入されて位置決められ、前記半分体が展開される際に、前記凸点が他の凹点に係入されて位置決められることを特徴とする請求項３に記載の隠し式キーボードを有する携帯式電子装置。
【請求項６】
前記二本の枢軸同士のそれぞれの後盤体として相互に噛み合う歯盤状に形成されるものを利用することを特徴とする請求項４または請求項５に記載の隠し式キーボードを有する携帯式電子装置。
【請求項７】
前記枢軸が緊密的に枢着されると共に、さらに後盤体が囲んで形成され、それらのそれぞれの後盤体として相互に噛み合う歯盤状に形成されるものを利用することを特徴とする請求項２に記載の隠し式キーボードを有する携帯式電子装置。
【考案の詳細な説明】
【技術分野】
【０００１】
本考案は、“隠し式キーボードを有する携帯式電子装置”に係わり、特に不使用時に折り畳んで収納でき、使用する必要がある時に展開して使用でき、且つタイピングしやすいキーボードを有する携帯式電子装置、例えばＰＤＡなどに関するものである。
【背景技術】
【０００２】
さて、携帯式電子装置、例えば、パーソナル・デジタル・アシスタント（ＰＤＡ）などは、その機能性が日進月歩するため、その基本的なタッチ・パッドのインプット方式が既に使用に応じられなくなり、キーボードによる入力方式を加入する必要があるようになっている。例えば、マイクロソフト社のオペレーティング・システム−Ｐｏｃｋｅｔ  ＰＣ  ２００３が既に携帯式電子装置のビルド・イン・タイプのキーボード装置をサポートするようになっている。
【０００３】
図１に示すように、キーボードを有する第一種の従来の携帯式電子装置１は、電気コネクタ３を介して外部付加の方式によってキーボード装置２を接続する必要があるので、その携帯の際には多くの不便さを有している。
【０００４】
図２に示すように、キーボードを有する第二種の従来の携帯式電子装置４は、そのボトム・サイドのスライド・カバー４１の下方への移動によってそのビルド・イン・キーボード装置４２を露出させるようになっており、それはその携帯式電子装置４の外見のサイズに影響を及ぼすことがあり、この種のキーボード装置４２の体積も必ず制限を受けており、そのボタンが小さくなることがあるので、使用上に手に応えにくいという課題を有する。
【考案の開示】
【考案が解決しようとする課題】
【０００５】
本考案は、ビルド・イン・タイプのキーボード装置を不使用時に全然携帯式電子装置の外見とそのサイズに影響せず、且つ使用する必要がある場合に、操作しやすい、ボタンが大きいキーボード装置を構成でき、且つ携帯式電子装置の全体の仕様に影響を与えないほかに、その作製コストを安くできる、隠し式キーボードを有する携帯式電子装置を提供することをその主要な解決しようとする課題とする。
【課題を解決するための手段】
【０００６】
前記の目的を達成するために、本考案による隠し式キーボードを有する携帯式電子装置は、背面部に凹み部が形成されると共に、その凹み部の下縁部近傍に一対の枢着孔同士が形成される、携帯式電子装置と、二つの半分部分に区分されるキーボード装置と、前記二つの半分部分からなるキーボード装置のそれぞれの半分体の対応しあう内方上方角部と前記二つの枢着孔同士に枢着される枢軸とからなる。
【０００７】
以下に、添付図面を参照しながら、本考案の好適な実施の形態を詳細的で具体的に説明するが、それらの詳細な説明による具体的な構造は単に本考案の実施可能な実施例に過ぎず、本考案の主張範囲を狭義的に定義するものではないことは言うまでもない。
【考案を実施するための最良の形態】
【０００８】
図３ないし図１０に示すように、本考案による“隠し式キーボードを有する携帯式電子装置”は、主に、携帯式電子装置（例えばＰＤＡ）５の背面部に、枢軸同士７，７によってキーボード装置６を枢着し、そのキーボード装置６は不使用時に携帯式電子装置５の背面部に隠すことができ、使用する必要がある場合に、展開して使用に供することができる。
【０００９】
図３と図４に示すように、携帯式電子装置５の背面部には、凹み部５１が形成され、その凹み部５１の下縁部近傍には二つの枢着孔同士５２，５２が形成される。また、キーボード装置６が二つの半分体６１，６２に区分され、それらの分離する部位にそれぞれ分離辺部６１１，６２１が形成され、図４に示すように、それぞれの枢軸７の一端が二つの半分体６１，６２の対応しあう内方上方角部に設けられる。二つの半分体６１，６２が携帯式電子装置５の凹み部５１内に収納され、且つ二本の枢軸同士７の他端がそれぞれ携帯式電子装置５の二つの枢着孔同士５２内に枢着され、それらの二本の枢軸同士７を軸として図４に示すように、二つの半分体６１，６２を展開し、二つの分離辺部６１１，６２１が相互に隣り合うと共に、合せられて操作しやすい完璧的でボタンが大きいほうのキーボード装置６（ＱＷＥＲＴＹ形式であると共に、ボタンが大きいほうのキーボード装置である）に組立てられる。そのキーボード装置６を使用しないつもりの場合では、二本の枢軸７を軸として逆方向へそれらの二つの半分体６１，６２を旋回して凹み部５１に収納し、図３に示すように、その収納後に、二つの半分体６１，６２の上辺部６１２，６２２が相互に隣り合うようになり、且つ二つの半分体６１，６２が完全に隠され、その携帯式電子装置５の外見とその仕様に影響しなくなる。
【００１０】
図５に示すのは、本考案に位置決め機構を増設する場合の実施の形態であり、その携帯式電子装置５の背面部の凹み部５１には壁面部５１１を有し、壁面部５１１の下縁部近傍には二つの枢着孔同士５２が設けられ、それぞれの枢着孔５２の周りにそれぞれ対称しあうように二つのそれぞれ収納位置決め用と展開位置決め用の凹点５３が形成されている。また、二本の枢軸同士７にはさらに後盤体７１が囲んで形成され、それぞれの後盤体７１にはそれぞれ凹点５３に対応する凸点７１１が形成され、また、二本の枢軸同士７の一端がそれぞれ二つの半分体６１，６２の対応しあう内方上方角部に固着され、且つその他端部が依然として携帯式電子装置５の二つの枢着孔同士５２に枢着され、凸点７１１が丁度凹点５３に作用される。そのため、二つの半分体６１，６２が収納され、または展開される際に、凸点７１１を凹点５３に係入し、または他の凹点５３内に係入することによって、収納位置決めまたは展開位置決めなどの作用を実現できる。その中、凹点５３と後盤体７１と凸点７１１とが本実施の形態の位置決め機構を形成する。
【００１１】
図６ないし図８に示すのは、本考案のまたの実施の形態を示す説明図であり、その携帯式電位装置５の背面部には、その二つの枢着孔同士５２の周りに、壁面部５１１においてそれぞれ多辺形の嵌合槽５４が形成され、それらの二つの嵌合槽同士５４内にそれぞれ対応する形状に形成される前盤体５５が嵌合されており、且つそれぞれの前盤体５５にはそれぞれ二つの凹点５５２と枢着孔５２に対応する穿孔５５１が形成され、それらによって前盤体５５と枢軸７における後盤体７１とを相互に重ねて接合させられるようにし、また、後盤体７１における凸点７１１が前盤体５５におけるいずれ一つの凹点５５２内に係入でき、それらによっても、前記のような収納位置決めと展開位置決めなどの効果を達成できる。図７に示すように、二つの半分体６１，６２が凹み部５１内に収納される場合に、携帯式電子装置５の背面部と整えることができ、そのため、図８に示すように、前記のキーボード装置の二つの半分体６１，６２が展開されると、任意の平面（例えば卓上など）に平たく配置することができ、凹凸傾斜になるような困難はない。その中、前盤体５５と凹点５５２と、後盤体７１とその凸点７１１とがこの実施の形態の位置決め機構を形成している。
【００１２】
図９と図１０に示すのは、連動部材を増設した場合の本考案の他の実施の形態を示す説明図であり、それは、それぞれの枢軸７の後盤体７１’には、歯盤状の物品を使用し、且つ左右二つの後盤体７１’が相互に噛み合って、お互いに連動され、そのため、ユーザーが単にその中の一つの半分体６１（６２）を操作すれば、同期に他の半分体６２（６１）を連動して展開または収納を実行できる。その中、前記二つの歯盤状の後盤体７１がこの実施の形態の連動部材を構成する。
【００１３】
また、本考案の枢軸同士７が中空体からなり、それぞれ二つの半分体６１，６２における信号コードの通過に供することができることから、携帯式電子装置５の内部の電気回路と電気的に接続されることが出来る。
【産業上の利用可能性】
【００１４】
本考案による場合、次のような多くの産業上の利用性を有する。
（１）普段の不使用時には、そのキーボードが折り曲げて携帯式電子装置５の背面部の凹み部５１内に隠すことが出来るので、その携帯式電子装置５の外見と仕様に影響することなく、その外見として依然として携帯式電子装置のままの様子を保持でき、携帯に非常に便利である。
（２）使用しようとする場合、二つの半分体６１，６２を展開して且つ勢いにしたがって完璧なキーボード装置６を形成するように組立てればよいので、展開と収納の操作が非常に便利であるほか、その組立後のキーボード装置がＱＷＥＲＴＹ形式でボタンが大きいほうのキーボード装置６となるため、タイピングする際に、極めて手に応えやすい効果を得られる。
（３）その増加可能なコストがかなり有限的であるが、豊かな産業利用価値に富んでいる。
（４）その増設の位置決め機構によってそれらの二つの半分体６１，６２の展開と収納にすべて位置決める効果を付与できる。
（５）前記連動機構を増設することによって、単にそのキーボード装置のある半分体を操作すれば、他の半分体を連動して展開または収納を実行できるので、操作には高度の利便性を有する。
【００１５】
また、前記に詳細的に説明した具体的な構成は、単に本考案の実施可能な実施例に過ぎず、本考案の主張範囲を狭義的に制限するものではなく、本考案の明細書と図面と請求の範囲に開示される技術の要旨に基づいて実施される相同効果の改造や変更や一部転用なども本考案の保護範囲内に納入されるべきことが言うまでもないことである。
【図面の簡単な説明】
【００１６】
【図１】従来の外部接続式キーボード装置を有する携帯式電子装置の構造を示す説明図である。
【図２】従来のビルド・イン・キーボード装置を有する携帯式電子装置の構造を示す説明図である。
【図３】本考案のキーボード装置を隠す場合を示す前面図である。
【図４】本考案のキーボード装置の展開時を示す前面図である。
【図５】本考案に位置決め機構を増設する場合の実施の形態を示す背面分解図である。
【図６】本考案の他の実施の形態を示す背面分解図である。
【図７】図６の実施の形態の組立後の状態を示す側面図である。
【図８】図７のキーボード装置が展開される後の状態を示す側面図である。
【図９】本考案に連動機構を増設する場合の実施の形態を示す背面分解図である。
【図１０】図９の操作様子を示す前面図である。
【符号の説明】
【００１７】
１、４、５  携帯式電子装置
２、６、４２  キーボード装置
３      電気コネクタ
７      枢軸
４１    スライド・カバー
５１    凹み部
５２    枢着孔
５３    凹点
５４    嵌合槽
５５    前盤体
６１、６２  半分体
７１、７１’  後盤体
５１１  壁面部
５５１  穿孔
５５２  凹点
６１１、６２１  分離辺部
６１２、６２２  上辺部
７１１  凸点
【図１】
0003102768.tif 000003
【図２】
0003102768.tif 000004
【図３】
0003102768.tif 000005
【図４】
0003102768.tif 000006
【図５】
0003102768.tif 000007
【図６】
0003102768.tif 000008
【図７】
0003102768.tif 000009
【図８】
0003102768.tif 000010
【図９】
0003102768.tif 000011
【図１０】
0003102768.tif 000012